(57)【要約】【課題】時計の指針の基準位置に対するずれを補正する際の使用者の負担を軽減し、かつ補正の精度を向上させる。【解決手段】時計の指針の基準位置に対するずれを補正するためのシステムは、端末装置と、歯車で指針を回転させることで時刻を表示し、端末装置からの指示に応じて歯車を回転させて指針の位置を補正する時計とを有し、端末装置は、指針を補正開始時の位置から基準位置に回転させる第１の指示を時計に出力する第１の指示部と、指針が実際に指す位置に関する位置情報の入力を受け付ける入力部と、第１の指示による回転後の位置情報が示す位置と基準位置とのずれ量に応じて指針を回転させる第２の指示を、時計に出力する第２の指示部と、使用者の入力操作に応じて所定の駆動単位で歯車を回転させることで第１または第２の指示による回転後の指針の位置を基準位置に補正する第３の指示を、時計に出力する第３の指示部とを有する。【選択図】図１
2019078533.tif 000002
【特許請求の範囲】
【請求項１】
時計の指針の基準位置に対するずれを補正するためのシステムであって、
端末装置と、
歯車で指針を回転させることで時刻を表示し、前記端末装置からの指示に応じて前記歯車を回転させて前記指針の位置を補正する時計と、を有し、
前記端末装置は、
前記指針を補正開始時の位置から前記基準位置に回転させる第１の指示を前記時計に出力する第１の指示部と、
前記指針が実際に指す位置に関する位置情報の入力を受け付ける入力部と、
前記第１の指示による回転後の前記位置情報が示す位置と前記基準位置とのずれ量に応じて前記指針を回転させる第２の指示を、前記時計に出力する第２の指示部と、
使用者の入力操作に応じて所定の駆動単位で前記歯車を回転させることで前記第１または第２の指示による回転後の前記指針の位置を前記基準位置に補正する第３の指示を、前記時計に出力する第３の指示部と、を有する、
ことを特徴とするシステム。
【請求項２】
前記第３の指示は、前記歯車を正方向または逆方向に回転させる指示であり、
前記駆動単位として、前記歯車を前記正方向に回転させるときの第１の駆動単位と、前記歯車を前記逆方向に回転させるときの第２の駆動単位とが設定されており、
前記第２の駆動単位は前記第１の駆動単位よりも大きい、請求項１に記載のシステム。
【請求項３】
前記第１の駆動単位として、いずれも前記第２の駆動単位よりも小さく、かつ互いに大きさが異なる複数の駆動単位が設定されており、
前記入力部は、前記入力操作として、前記複数の駆動単位のいずれかでの前記正方向への回転か、または前記第２の駆動単位での前記逆方向への回転を選択する操作を受け付ける、請求項２に記載のシステム。
【請求項４】
前記第１または第２の指示による回転後の前記指針の位置が前記基準位置に対して進んでいるときの前記第３の指示は、前記歯車を前記第２の駆動単位で前記基準位置よりも遅れた位置に逆回転させてから前記第１の駆動単位で前記正方向に回転させる指示である、請求項２または３に記載のシステム。
【請求項５】
前記第２の指示部は、前記第１の指示による回転後の前記指針の位置が所定の範囲内にない場合には、前記所定の範囲内に含まれるように前記指針を回転させる指示を出力する、請求項２〜４のいずれか一項に記載のシステム。
【請求項６】
前記時計は、前記指針として時針および分針を有し、
前記第３の指示部は、前記時針および前記分針のうちの少なくとも一方の位置を補正するときに前記第３の指示を出力する、請求項１〜５のいずれか一項に記載のシステム。
【請求項７】
前記時計は、前記指針として第１の指針および第２の指針を有し、前記第１の指針についての前記第１から第３の指示のうちの少なくとも１つの指示に応じて前記第１の指針の位置を補正した後に、前記第１の指針を前記基準位置以外の位置に回転させてから、前記第２の指針についての前記少なくとも１つの指示に応じて前記第２の指針の位置を補正する、請求項１〜５のいずれか一項に記載のシステム。
【請求項８】
前記時計は、前記指針として第１の指針および第２の指針を有し、前記第１の指針についての前記第１から第３の指示のうちの少なくとも１つの指示に応じて前記第１の指針の位置を補正した後に、前記第１の指針が前記基準位置に配置された状態で、前記第２の指針についての前記少なくとも１つの指示に応じて前記第２の指針の位置を補正する、請求項１〜５のいずれか一項に記載のシステム。
【請求項９】
前記時計は、前記指針として秒針、分針および時針を有し、
前記秒針は、前記分針および前記時針よりも細く、
前記時計は、前記秒針についての前記第１から第３の指示のうちの少なくとも１つの指示に応じて前記秒針の位置を補正し、次に前記分針についての前記少なくとも１つの指示に応じて前記分針の位置を補正した後に、前記分針を前記基準位置以外の位置に回転させ、かつ前記秒針が前記基準位置に配置された状態で、前記時針についての前記少なくとも１つの指示に応じて前記時針の位置を補正する、請求項１〜５のいずれか一項に記載のシステム。
【請求項１０】
前記時計は、現在の日時を示す時刻情報を内部に保持し、前記指針として時針を有し、かつ前記歯車で前記時針と連動して日板を回転させることでさらに日付を表示し、
前記入力部は、前記日板が実際に示す日付に関する日付情報の入力をさらに受け付け、
前記端末装置は、前記時計が前記時針についての前記第１から第３の指示のうちの少なくとも１つの指示に応じて前記時針の位置を補正した後に第４の指示を前記時計に出力する第４の指示部をさらに有し、
前記第４の指示は、前記日付情報が示す日付を前記時刻情報が示す日付に一致させるように前記日板を回転させる指示である、請求項２〜５のいずれか一項に記載のシステム。
【請求項１１】
前記第４の指示部は、前記時針の位置を補正した後であって前記第４の指示を出力する前に、前記時針の位置を補正するときよりも大きい駆動単位で前記歯車を前記逆方向に回転させてから前記正方向に回転させる指示を前記時計に出力する、請求項１０に記載のシステム。
【請求項１２】
前記基準位置は０時の位置であり、
前記入力部は、前記時計における前記日板の日付の表示窓に、１つの日付と、隣り合う２つの日付の間の部分とのいずれが表示されているかを選択する使用者の操作をさらに受け付け、２つの日付の間の部分が表示されていると選択された場合には、前記表示窓に１つの日付が表示されるまで前記時計が前記指針を進ませた後に、前記日付情報の入力を受け付ける、請求項１０または１１に記載のシステム。
【発明の詳細な説明】
【技術分野】
【０００１】
本発明は、時計の指針の基準位置に対するずれを補正するためのシステムに関する。
【背景技術】
【０００２】
特許文献１には、指針により時刻を示す時計表示部を有する時計と、電子機器とを備える時刻補正システムが記載されている。このシステムでは、電子機器は、時計にデータを送信する送信部と、時計の指針が指示する位置の入力を受け付ける入力部と、入力部が入力を受け付けた位置と所定の基準位置とに基づいて、時計の指針が指示する位置を補正するための針位置補正量を算出する補正量算出部と、補正量算出部が算出した針位置補正量を送信部から送信する補正量送信部とを備える。また、時計は、電子機器からデータを受信する受信部と、指針を基準位置に移動させる移動制御部と、受信部が針位置補正量を受信すると受信した針位置補正量に基づいて指針が指示する位置を補正する補正制御部とを備える。
【先行技術文献】
【特許文献】
【０００３】
【特許文献１】特開２０１６−０６５８２５号公報
【発明の概要】
【発明が解決しようとする課題】
【０００４】
アナログ時計の時針、分針などの指針は、例えば０時位置を基準位置として、時計が内部で保持している現在時刻と指針が実際に指す時刻とが一致するように調整されている。しかしながら、例えば時計に衝撃が加わるなどすると、現在時刻が基準位置に対応する時刻（例えば、０秒、０分など）に一致したときに指針が実際に指す位置と基準位置との間にずれが生じることがある。こうしたずれが生じると、正確な時刻表示ができないし、指針の位置で使用者に時刻以外の情報（例えば、メール受信など）を通知する機能表示もできないので、指針の位置にずれが生じた場合には、それを補正する必要がある。使用者の利便性を向上させるためには、こうした補正を、例えば広く普及している携帯端末などの端末装置を用いて容易に行えるようにすることが望ましい。
【０００５】
また、一般に、時計の指針はステップモータにより駆動され、指針とステップモータの間は歯車で連結されている。ステップモータの１ステップの駆動で指針が回転する角度はわずかであり、歯車にはバックラッシュ（歯車の回動性を高めるため、歯車同士の回転方向に意図的に設けられた隙間）があるため、指針の基準位置に対するずれを精度よく補正するためには、バックラッシュを考慮した処理が必要になる。特許文献１の時刻補正システムは、指針が指示する位置を電子機器の操作で補正するものであるが、上記のバックラッシュが考慮されていないため、補正の精度に改善の余地がある。
【０００６】
そこで、本発明は、時計の指針の基準位置に対するずれを補正する際の使用者の負担を軽減し、かつ補正の精度を向上させることを目的とする。
【課題を解決するための手段】
【０００７】
時計の指針の基準位置に対するずれを補正するためのシステムであって、端末装置と、歯車で指針を回転させることで時刻を表示し、端末装置からの指示に応じて歯車を回転させて指針の位置を補正する時計とを有し、端末装置は、指針を補正開始時の位置から基準位置に回転させる第１の指示を時計に出力する第１の指示部と、指針が実際に指す位置に関する位置情報の入力を受け付ける入力部と、第１の指示による回転後の位置情報が示す位置と基準位置とのずれ量に応じて指針を回転させる第２の指示を、時計に出力する第２の指示部と、使用者の入力操作に応じて所定の駆動単位で歯車を回転させることで第１または第２の指示による回転後の指針の位置を基準位置に補正する第３の指示を、時計に出力する第３の指示部とを有することを特徴とするシステムが提供される。
【０００８】
第３の指示は、歯車を正方向または逆方向に回転させる指示であり、駆動単位として、歯車を正方向に回転させるときの第１の駆動単位と、歯車を逆方向に回転させるときの第２の駆動単位とが設定されており、第２の駆動単位は第１の駆動単位よりも大きいことが好ましい。
【０００９】
第１の駆動単位として、いずれも第２の駆動単位よりも小さく、かつ互いに大きさが異なる複数の駆動単位が設定されており、入力部は、入力操作として、複数の駆動単位のいずれかでの正方向への回転か、または第２の駆動単位での逆方向への回転を選択する操作を受け付けることが好ましい。
【００１０】
第１または第２の指示による回転後の指針の位置が基準位置に対して進んでいるときの第３の指示は、歯車を第２の駆動単位で基準位置よりも遅れた位置に逆回転させてから第１の駆動単位で正方向に回転させる指示であることが好ましい。
【００１１】
第２の指示部は、第１の指示による回転後の指針の位置が所定の範囲内にない場合には、所定の範囲内に含まれるように指針を回転させる指示を出力することが好ましい。
【００１２】
時計は、指針として時針および分針を有し、第３の指示部は、時針および分針のうちの少なくとも一方の位置を補正するときに第３の指示を出力することが好ましい。
【００１３】
時計は、指針として第１の指針および第２の指針を有し、第１の指針についての第１から第３の指示のうちの少なくとも１つの指示に応じて第１の指針の位置を補正した後に、第１の指針を基準位置以外の位置に回転させてから、第２の指針についての少なくとも１つの指示に応じて第２の指針の位置を補正することが好ましい。
【００１４】
時計は、指針として第１の指針および第２の指針を有し、第１の指針についての第１から第３の指示のうちの少なくとも１つの指示に応じて第１の指針の位置を補正した後に、第１の指針が基準位置に配置された状態で、第２の指針についての少なくとも１つの指示に応じて第２の指針の位置を補正することが好ましい。
【００１５】
時計は、指針として秒針、分針および時針を有し、秒針は、分針および時針よりも細く、時計は、秒針についての第１から第３の指示のうちの少なくとも１つの指示に応じて秒針の位置を補正し、次に分針についての少なくとも１つの指示に応じて分針の位置を補正した後に、分針を基準位置以外の位置に回転させ、かつ秒針が基準位置に配置された状態で、時針についての少なくとも１つの指示に応じて時針の位置を補正することが好ましい。
【００１６】
時計は、現在の日時を示す時刻情報を内部に保持し、指針として時針を有し、かつ歯車で時針と連動して日板を回転させることでさらに日付を表示し、入力部は、日板が実際に示す日付に関する日付情報の入力をさらに受け付け、端末装置は、時計が時針についての第１から第３の指示のうちの少なくとも１つの指示に応じて時針の位置を補正した後に第４の指示を時計に出力する第４の指示部をさらに有し、第４の指示は、日付情報が示す日付を時刻情報が示す日付に一致させるように日板を回転させる指示であることが好ましい。
【００１７】
第４の指示部は、時針の位置を補正した後であって第４の指示を出力する前に、時針の位置を補正するときよりも大きい駆動単位で歯車を逆方向に回転させてから正方向に回転させる指示を時計に出力することが好ましい。
【００１８】
基準位置は０時の位置であり、入力部は、時計における日板の日付の表示窓に、１つの日付と、隣り合う２つの日付の間の部分とのいずれが表示されているかを選択する使用者の操作をさらに受け付け、２つの日付の間の部分が表示されていると選択された場合には、表示窓に１つの日付が表示されるまで時計が指針を進ませた後に、日付情報の入力を受け付けることが好ましい。
【発明の効果】
【００１９】
上記のシステムによれば、時計の指針の基準位置に対するずれを補正する際の使用者の負担が軽減され、かつ補正の精度が向上する。
【図面の簡単な説明】
【００２０】
【図１】調整システム１の概略ブロック図である。
【図２】時計３の時刻表示部３４および駆動部３５の概略構成図である。
【図３】バックラッシュが基準位置の調整に与える影響を説明するための図である。
【図４】調整システム１による調整処理の流れを説明するための図である。
【図５】調整システム１による調整処理の流れを説明するための図である。
【図６】携帯端末２の動作例を示すフローチャートである。
【図７】時計における指針の配置パターンの変形例を示す図である。
【発明を実施するための形態】
【００２１】
以下、図面を参照しつつ、時計の指針の基準位置に対するずれを補正するためのシステムについて説明する。ただし、本発明は図面または以下に記載される実施形態には限定されないことを理解されたい。
【００２２】
図１は、調整システム１の概略ブロック図である。調整システム１は、時計の指針の基準位置に対するずれを補正するためのシステムの一例であり、携帯端末２および時計３を有する。調整システム１は、時計３の指針（秒針４１、分針４２および時針４３）の基準位置を携帯端末２の操作で容易に補正できるようにするものである。以下では、基準位置（例えば、１２時位置）に移動するように指示されたときに指針が実際に指す位置と時計３（後述する指針制御部３２）が認識している基準位置との間のずれを補正することを、「基準位置の調整」という。
【００２３】
携帯端末２は、端末装置の一例であり、例えば、携帯電話またはスマートホンであるが、端末装置はＰＣまたはタブレット端末などでもよく、特に限定されない。携帯端末２は、時計３の指針の基準位置を調整する際の指示を使用者が入力するために用いられ、例えばＢｌｕｅｔｏｏｔｈ（登録商標）などで時計３と無線通信する。図１に示すように、携帯端末２は、端末通信部１１、制御部１２、記憶部１３、表示部１４および入力部１５を有する。
【００２４】
端末通信部１１は、時計３との間で無線通信を行うためのインタフェースである。制御部１２は、ＣＰＵ、ＲＯＭおよびＲＡＭなどを含むマイクロコンピュータで構成され、携帯端末２の動作を制御する。記憶部１３は、例えば半導体メモリで構成され、携帯端末２の動作に必要な情報を記憶する。表示部１４は、例えば液晶ディスプレイであるが、画像の表示が可能であればどのようなデバイスでもよい。
【００２５】
入力部１５は、例えばタッチパネルまたはキーボタンなどであるが、キーボードまたはマウスなどでもよい。タッチパネルの場合には、入力部１５は、タッチパネルディスプレイとして表示部１４と一体化されていてもよい。入力部１５は、時計３の指針が指す位置に関する位置情報などの入力を受け付ける。例えば、調整システム１の使用者は、入力部１５を介して、位置情報として、時計３の指針が実際に指している時刻（現在、何時何分何秒を指しているか）を示す数値を入力する。なお、この位置情報は、例えば、タッチパネルディスプレイ上に表示された時計の文字板上の位置を使用者がタップすることで入力されるものでもよく、位置を一意に特定できればどのような形式のものでもよい。
【００２６】
時計３は、歯車で指針を回転させることで時刻（日時）を表示する時計（すなわち、アナログ時計）であり、時計通信部３１、指針制御部３２、計時部３３、時刻表示部３４および駆動部３５を有する。時計３は、例えば腕時計であるが、置時計などでもよく、アナログ時計であれば特に限定されない。
【００２７】
時計通信部３１は、携帯端末２との間で無線通信を行うためのインタフェースである。指針制御部３２は、指針の基準位置の調整処理を行うときに、携帯端末２からの指示に応じて時計３内の歯車を回転させて、指針の位置を補正する。計時部３３は、例えば、水晶振動子によりクロック信号を生成するクロック部と、クロック信号を分周して分周信号を生成する分周回路部と、分周信号から現在の日時を示す時刻情報を生成する時刻生成部とを有する公知の時計回路で構成される。
【００２８】
時刻表示部３４は、秒針４１、分針４２、時針４３および日板４４を有する。符号４５は日板４４の表示窓であり、図１の例では「３１日」が表示されている。日板４４を有することにより、時計３は、時刻だけでなく日付も表示する。なお、調整システム１が対象とする時計は、秒針、分針および時針の３本の指針を有するものには限定されず、例えば、分針と時針の２本の指針を有するものであってもよい。
【００２９】
図２（Ａ）〜図２（Ｄ）は、時計３の時刻表示部３４および駆動部３５の概略構成図である。このうち、図２（Ａ）は、秒針４１、分針４２、時針４３および日板４４と、それらを駆動するための歯車５１およびモータ５２，５３との関係を示す概略ブロック図である。また、図２（Ｂ）は、秒針４１および分針４２とモータ５２とを連結する部分の概略構成図であり、図２（Ｃ）は、時針４３および日板４４とモータ５３とを連結する部分の概略構成図である。
【００３０】
駆動部３５は、歯車５１、モータ５２，５３および駆動回路５５，５６で構成される。時計３では、秒針４１と分針４２は、歯車（輪列）５１を介してモータ５２に連結し、時針４３と日板４４は、別の歯車（輪列）５１を介してモータ５３に連結している。モータ５２は、秒針４１および分針４２用のステップモータであり、モータ５３は、時針４３および日板４４用のステップモータである。駆動回路５５はモータ５２を駆動し、駆動回路５６はモータ５３を駆動する。時計３では、秒針４１と分針４２は共通のモータ５２により連動して回転し、時針４３と日板４４も共通のモータ５３により連動して回転する。例えば、モータ５２により秒針４１が１回転すると分針４２が１分（６度）進み、その間に、モータ５３により時針４３が１回動く。時針４３は６０分で３０度進むので、１分で０．５度進む。また、日板４４は、時針４３が２回転すると１日分進む。
【００３１】
なお、図２（Ｄ）に示すように、駆動部３５が３つのモータ５２〜５４を有し、これらのモータが秒針４１、分針４２および時針４３をそれぞれ独立に駆動してもよい。あるいは、図示しないが、モータとして、秒針４１の駆動用のものと、分針４２および時針４３の駆動用のものの２つを設けて、分針４２と時針４３の回転を連動させてもよい。
【００３２】
以下では、秒針４１、分針４２および時針４３の基準位置は０時位置（１２時位置）であるとして説明する。ただし、基準位置は、例えば３時位置など、０時位置以外の位置でもよく、また、例えば、秒針４１と分針４２の基準位置を０時位置とし、時針４３の基準位置を３時位置とするなど、指針ごとに異なっていてもよい。
【００３３】
図３（Ａ）〜図３（Ｅ）は、バックラッシュが基準位置の調整に与える影響を説明するための図である。図３（Ａ）は、時計３のうちで、時針４３とそれを回転させる２つの歯車５１Ａ，５１Ｂの部分を示す。図３（Ｂ）および図３（Ｃ）は、図３（Ａ）における符号ＩＩＩＢ，ＩＩＩＣで示す部分（歯車５１Ａ，５１Ｂの連結部分）の拡大図である。図３（Ｄ）および図３（Ｅ）は、図３（Ａ）における符号ＩＩＩＤ，ＩＩＩＥで示す部分（時針４３の先端周辺）の拡大図である。図３（Ｄ）は歯車５１Ａを正方向（時計回り）に回転させたときの時針４３の基準位置（０時位置）における状態を示し、図３（Ｅ）は歯車５１Ａを逆方向（反時計回り）に回転させたときの時針４３の基準位置（０時位置）における状態を示す。
【００３４】
図３（Ｂ）は、時針４３を正方向へ回転させる場合の歯車５１Ａと歯車５１Ｂの噛み合い状態を示す。通常、時計３では、時針４３が正方向に回転するように歯車５１Ａと歯車５１Ｂが噛み合っているので、正方向への回転のみで基準位置を調整する場合には、バックラッシュの影響を受けずに、図３（Ｄ）に示すように時針４３を基準位置Ｏに合わせることができる。一方、図３（Ｃ）は、時針４３を逆方向へ回転させる場合の歯車５１Ａと歯車５１の噛み合い状態を示す。時針４３の回転方向を正方向から逆方向に変えるために、歯車５１Ａと歯車５１Ｂの噛み合い状態を図３（Ｂ）から図３（Ｃ）に変えると、その際に、角度αのバックラッシュの分だけ時針４３の逆方向への送り量が少なくなる。このため、逆方向への回転のみで基準位置を調整する場合には、図３（Ｅ）に示すように時針４３と基準位置Ｏの間にずれが生じ、調整精度が低下してしまう。
【００３５】
バックラッシュの影響を取り除くには、逆方向への回転後に、少なくとも１回の正方向への回転が必要である。例えば、５秒位置から秒針を０秒位置へ逆方向に移動させる場合には、６秒分の逆方向への回転を行ってから、１秒分の正方向への回転を行う必要がある。つまり、１秒分の逆方向への回転を行う場合には、２秒分の逆方向への回転と、１秒分の正方向への回転が必要となり、１０秒分の逆方向への回転を行う場合には、１１秒分の逆方向への回転と、１秒分の正方向への回転が必要となる。このように、逆方向への回転数が少ないほど、バックラッシュに対応するために必要な動作の割合が増えるため、エネルギー効率が悪い。
【００３６】
そこで、調整システム１では、逆方向への回転での調整が必要な場合（すなわち、基準位置に移動するように指示されたときに指針が実際に指す位置が基準位置に対して進んでいる場合）であっても、こうしたバックラッシュによる影響を除くために、歯車５１を一旦逆方向に大きく回転させた後で、正方向に少しずつ回転させながら基準位置の調整を行う。
【００３７】
以下では、図１に示す制御部１２の機能ブロックを説明する。制御部１２は、ＣＰＵの動作により実現される機能ブロックとして、移動指示部２１、指針補正部２２、微調整指示部２３、重なり制御部２４および日付補正部２５を有し、これらにより、指針と日板４４の基準位置の調整処理を行う。
【００３８】
この調整処理では、制御部１２は、まず、移動指示部２１により秒針４１を基準位置に移動させ、移動後の秒針４１の位置が基準位置でない場合には、指針補正部２２により秒針４１の基準位置の調整を指示する。続いて、制御部１２は、移動指示部２１により分針４２を基準位置に移動させ、移動後の分針４２の位置が基準位置でない場合には、指針補正部２２により分針４２の基準位置の調整を指示する。続いて、制御部１２は、移動指示部２１により時針４３を基準位置に移動させ、移動後の時針４３の位置が所定の範囲内にない場合には、指針補正部２２により時針４３をその所定の範囲内に移動させる。移動指示部２１または指針補正部２２による移動後の時針４３の位置が基準位置でない場合には、制御部１２は、微調整指示部２３により時針４３の基準位置の調整を指示する。最後に、制御部１２は、日付補正部２５により日板４４の基準位置の調整を指示する。
【００３９】
移動指示部２１は、調整処理の開始時に、端末通信部１１を介して時計３から現在時刻の情報を取得し、これを調整開始時刻とする。移動指示部２１は、第１の指示部の一例であり、端末通信部１１を介して、調整対象の指針（例えば、秒針４１の調整時には秒針４１）を調整開始時刻に対応する位置から基準位置に回転させる指示（第１の指示）を、時計３に出力（送信）する。すなわち、移動指示部２１は、時計３の計時部３３が保持する時刻情報の値が基準位置と同じ値になるようにモータ５２，５３を駆動させて、調整対象の指針を基準位置に移動させる。例えば、指針が重く、ステップモータによる送り指示がなされても指針が動かなかったり、時計３に衝撃などが加わったりして指針の位置ずれが生じた場合には、移動指示部２１による移動後の指針の位置は、実際の０秒位置とはずれることになる。
【００４０】
指針補正部２２は、第２の指示部の一例であり、端末通信部１１を介して、移動指示部２１からの指示による回転後の指針の位置と基準位置とのずれ量に応じて指針をさらに回転させる指示（第２の指示）を、時計３に出力する。この指示には、指針の実際の位置と基準位置とのずれ量の情報が含まれ、指針の実際の位置は、入力部１５を介して使用者により入力される位置情報により与えられる。指針補正部２２は、指針の実際の位置と基準位置との間の距離を、その距離だけ指針を移動させるために必要なモータ５２（または５３）のステップ数に変換し、それをずれ量の情報として出力する。すなわち、指針補正部２２は、基準位置に対する現在の指針位置のずれ量を算出し、その情報を時計３に送信して、基準位置からの指針のずれが打ち消されるように指針の位置を調整するための手段である。
【００４１】
なお、ずれ量の情報としては、指針補正部２２が指針の実際の位置と基準位置との間の距離（例えば、秒数）の情報を時計３に送信し、時計３の指針制御部３２がその距離をモータのステップ数に変換してもよい。ただし、その場合には、ステップ数への変換の機能を時計３に追加する必要があるので、上記の通り、指針補正部２２が基準位置までの距離をモータのステップ数に変換して時計３に送信する方が好ましい。
【００４２】
微調整指示部２３は、第３の指示部の一例であり、端末通信部１１を介して、指針補正部２２からの指示による回転後の指針の位置を基準位置に補正する指示（第３の指示、微調整指示）を、時計３に出力する。微調整指示部２３が出力する指示は、使用者の入力操作に応じて、所定の駆動単位で歯車５１を正方向または逆方向に（すなわち、指針を時計回りまたは反時計回りに）回転させる指示である。すなわち、微調整指示部２３は、移動指示部２１または指針補正部２２からの指示による調整後も指針の実際の位置と基準位置との間に僅かなずれが残っている場合に、そのずれを打ち消すように使用者の手動操作により指針の位置を微調整するための手段である。
【００４３】
この駆動単位はモータ５２，５３のステップ数であり、歯車５１を正方向に回転させるときのステップ数（第１の駆動単位）よりも、歯車５１を逆方向に回転させるときのステップ数（第２の駆動単位）の方が大きく設定されている。また、正方向への回転については、互いに大きさが異なる複数の駆動単位が設定されており、それらはいずれも逆方向への回転のステップ数よりも小さい。例えば、正方向の回転の駆動単位は１，３，５ステップの３段階に設定されており、逆方向の回転の駆動単位は、それらよりも大きい２０ステップに設定されている。微調整指示部２３は、これらのいずれの駆動単位でモータ５２（または５３）を駆動するかを使用者に選択させる画面を表示部１４に表示させ、使用者が選択した駆動単位でそのモータを駆動する指示を、微調整指示として送信する。
【００４４】
逆方向の駆動単位が正方向の駆動単位よりも大きいのは、上記の通り、バックラッシュの影響を受けないように、逆方向への回転での調整が必要な場合でも、最後は歯車５１を正方向に回転させながら基準位置への微調整を行うためである。指針補正部２２からの指示による回転の後で、指針の位置が基準位置に対して進んでいる場合には、使用者は、例えば、まず逆方向への２０ステップの駆動を１回選択し、次に、時計３の指針の位置を確認しながら、正方向への１，３または５ステップの駆動を１回または複数回選択する。微調整指示部２３は、選択されたステップ数だけモータを駆動する指示を送信し、時計３の指針制御部３２は、その指示に応じて歯車５１を逆方向、正方向の順に回転させて指針を移動させる。すなわち、微調整指示部２３による微少ステップ数での回転は、逆方向については行われず、正方向のみについて行われる。
【００４５】
一方、指針補正部２２からの指示による回転の後で、指針の位置が基準位置に対して遅れている場合には、使用者は、時計３の指針の位置を確認しながら、正方向への１，３または５ステップの駆動を１回または複数回選択する。微調整指示部２３は、選択されたステップ数だけモータを駆動する指示を送信し、時計３の指針制御部３２は、その指示に応じて歯車５１を正方向に回転させて指針を移動させる。この処理を繰り返すことで、指針の位置を基準位置に精度よく合わせることができる。
【００４６】
また、移動指示部２１からの指示による回転後の指針の位置が所定の範囲内にない場合には、まず、その範囲内に含まれるように指針を回転させる指示を指針補正部２２が時計３に出力し、その後で、微調整指示部２３が微調整指示を出力してもよい。この所定の範囲は、基準位置を含むその周辺の区間であり、例えば、１１時から１時までの６０度の範囲としてもよい。この場合、微調整指示部２３は、指針が１１時から１時までの範囲内にない場合には、指針をその範囲内に回転させた後で、微調整指示を出力してもよい。このように、調整対象の指針を基準位置の周辺に移動させてから微調整を行うことで、使用者の負担が軽減されるとともに、基準位置への調整に要する時間を短縮することができる。
【００４７】
また、秒針４１と分針４２の調整は、移動指示部２１と指針補正部２２からの指示のみで行い、微調整指示部２３は、時針４３の調整のときだけ微調整指示を出力してもよい。これは、例えば、秒針４１は１ステップで６度動くので、１ステップ分の回転角度に対するバックラッシュによる影響比率は少なく、位置調整が比較的容易であるのに対し、時針４３は１時間の３０度を６０ステップで動くので、１ステップ当たりの回転角度が小さく、位置調整が困難なためである。なお、分針４２についても、１ステップ当たりの回転角度が小さい場合には、１ステップ分の回転角度に対するバックラッシュの影響比率が大きいため、微調整指示部２３は、時針４３に加えて分針４２の調整のときにも微調整指示を出力してもよい。あるいは、場合によっては、微調整指示部２３は、分針４２の調整のときだけ微調整指示を出力してもよい。
【００４８】
重なり制御部２４は、調整処理の間における指針同士の重なり状態を制御する。具体的には、重なり制御部２４は、端末通信部１１を介して、分針４２の基準位置の調整後に、分針４２を基準位置以外の位置に回転させる指示を、時計３に出力する。これにより、時針４３の基準位置の調整は、分針４２が基準位置以外の位置に配置された状態で行われる。また、分針４２および時針４３の基準位置の調整は、秒針４１が基準位置に配置された状態で、その秒針４１に重ねるように行われる。これは、一般に、秒針４１は分針４２および時針４３よりも細く、分針４２は時針４３と同程度の太さを有するので、分針４２が基準位置にあると時針４３の調整時に邪魔になるが、秒針４１が基準位置にあると、分針４２および時針４３の調整時にそれを目印として利用できるためである。
【００４９】
日付補正部２５は、第４の指示部の一例であり、端末通信部１１を介して、日板４４の位置を調整する指示（第４の指示）を時計３に出力する。この指示には、日板４４が実際に示す日付と計時部３３の時刻情報が示す日付とのずれ量の情報が含まれ、日板４４が実際に示す日付は、入力部１５を介して使用者により入力される日付情報により与えられる。日付補正部２５からの指示により、時計３の指針制御部３２は、時針４３の位置の補正後に、日板４４が実際に示す日付を計時部３３の時刻情報が示す日付に一致させるように、日板４４を回転させる。日板４４は時針４３と連動して回転するので、日板４４の１日の位置を基準位置に合わせるには、時針４３を２４時間×日数分回転させる必要があり、回転量が膨大になる。このため、日付補正部２５は、日板４４の１日の位置を基準位置に合わせるのではなく、単に実際の日付と時刻情報が示す日付とのずれを補正するとよい。
【００５０】
図４および図５（Ａ）〜図５（Ｋ）は、調整システム１による調整処理の流れを説明するための図である。図６は、携帯端末２の動作例を示すフローチャートである。図４は、調整処理の際に携帯端末２の表示部１４に表示される画面１０１〜１１２を示し、図５（Ａ）〜図５（Ｋ）は、調整処理の各ステップにおける時計３の指針の配置を示す。なお、図５（Ａ）〜図５（Ｋ）では、簡単のため、時計３の日板４４の表示窓４５（図１を参照）の図示は省略している。
【００５１】
最初に、携帯端末２の制御部１２は、調整処理の開始を使用者に選択させる図４の画面１０１を表示させる。画面１０１内の開始ボタン１２１が押下されると、移動指示部２１は、時計３の現在時刻を取得し、これを調整開始時刻とする（Ｓ１）。そして、移動指示部２１は、時計の針を停止させる指示を時計３に送信する（Ｓ２）。
【００５２】
次に、移動指示部２１は、Ｓ１で取得した調整開始時刻を基に、時計３の秒針４１を０秒位置へ移動させる指示を時計３に送信する（Ｓ３）。例えば、調整開始時刻が１時１５分４０秒であったとすると、時計３は、秒針４１を２０秒進める。そして、指針補正部２２は、図４の画面１０２を表示させて、秒針４１が実際に０秒位置を指しているか否かを使用者に確認する（Ｓ４）。
【００５３】
調整開始時刻の秒針４１が図５（Ａ）に示すように４０秒位置にある場合には、秒針４１が０秒位置を指すので（Ｓ４でＹｅｓ）、使用者がＯＫボタン１２２を押下すると、処理はＳ７に進む。調整開始時刻の秒針４１が４０秒位置にない場合には、秒針４１が０秒位置を指さないので（Ｓ４でＮｏ）、使用者がＮＧボタン１２３を押下すると、指針補正部２２は、図４の画面１０３を表示させて、秒針４１が実際に指している位置を使用者に入力させる（Ｓ５）。例えば、図５（Ｂ）に示すように、秒針４１が実際には５９秒位置にあるとすると、画面１０３では、ＵＰボタン１２４およびＤＮボタン１２５により、使用者は、秒針４１が現在５９秒を指していることを入力する。指針補正部２２は、その入力値（位置情報）を基に、秒針４１を０秒位置へ移動させる指示を時計３に送信する（Ｓ６）。これにより、図５（Ｃ）に示すように、秒針４１の位置が０秒位置に調整される。
【００５４】
続いて、移動指示部２１と指針補正部２２は、分針４２について、秒針４１に関する画面１０２，１０３と同様の画面１０４，１０５を表示させ、Ｓ３〜Ｓ６と同様の処理Ｓ７〜Ｓ１０を行って、分針４２を０分位置に移動させる。例えば、移動指示部２１が分針４２を０分位置に移動させたときに（Ｓ７）、図５（Ｄ）に示すように、分針４２が実際には１分位置を指していたとする（Ｓ８でＮｏ）と、指針補正部２２は、現在１分を指していることを使用者に入力させる（Ｓ９）。これにより、図５（Ｅ）に示すように、分針４２の位置が０分位置に調整される（Ｓ１０）。そして、重なり制御部２４は、時針４３の調整を開始する前に、分針４２を１０分位置に移動させる指示を時計３に送信する（Ｓ１１）。これにより、図５（Ｆ）に示すように、秒針４１は０秒位置に配置されたまま、分針４２が１０分位置に移動する。
【００５５】
続いて、移動指示部２１は、Ｓ１で取得した調整開始時刻を基に、時針４３を０時位置へ移動させる指示を時計３に送信する（Ｓ１２）。そして、指針補正部２２は、図４の画面１０６を表示させて、時針４３が１１時から１時の間にあるか否かを使用者に確認する（Ｓ１３）。
【００５６】
時針４３が１１時から１時の間にある場合（Ｓ１３でＹｅｓ）には、使用者がＯＫボタン１２２を押下すると、処理はＳ１６に進む。時針４３が１１時から１時の間にない場合（Ｓ１３でＮｏ）には、使用者がＮＧボタン１２３を押下すると、指針補正部２２は、秒針４１に関する画面１０３と同様の画面１０７を表示させ、Ｓ５，Ｓ６と同様の処理Ｓ１４，Ｓ１５を行う。例えば、図５（Ｇ）に示すように、時針４３が実際には１０時から１１時の間にあったとすると、指針補正部２２は、現在１０時を指していることを使用者に入力させる（Ｓ１４）。これにより、指針補正部２２は、図５（Ｈ）に示すように、時針４３を０時位置へ移動させる（Ｓ１５）。
【００５７】
その後、微調整指示部２３は、図４の画面１０８を表示させて、時針４３が０時丁度の位置を指しているか否かを使用者に確認する（Ｓ１６）。０時丁度である場合（Ｓ１６でＹｅｓ）には、使用者がＯＫボタン１２２を押下すると、処理はＳ１８に進む。０時丁度でない場合（Ｓ１６でＮｏ）には、使用者がＮＧボタン１２３を押下すると、微調整指示部２３は、使用者の入力操作に応じて微調整指示を時計３に送信する（Ｓ１７）。
【００５８】
Ｓ１７では、微調整指示部２３は、時計３のモータ５３を操作するためのボタン１３１〜１３４を含む図４の画面１０９を表示させる。ボタン１３１は正方向に１ステップ進める指示を、ボタン１３２は正方向に３ステップ進める指示を、ボタン１３３は正方向に５ステップ進める指示を、ボタン１３４は逆方向に２０ステップ戻す指示を、それぞれ送信するためのボタンである。使用者は、時計３の時針４３の位置を確認しながら、時針４３が０時丁度に合うようにそれらのボタンを操作し、微調整指示部２３は、その操作に応じて微調整指示を送信して、時計３の指針制御部３２に時針４３の位置を微調整させる。これにより、時針４３が実際には０時位置から僅かにずれていたとしても（図５（Ｉ））、時針４３の位置が０時位置に調整される（図５（Ｊ））。
【００５９】
Ｓ１６，１７の後に、日付補正部２５は、図４の画面１１０を表示させて、現在の日板４４の表示が午前０時と午後０時のどちらに相当するかを使用者に選択させる（Ｓ１８）。日板４４は、時針４３と連動しており、午前０時付近で１日分回転するため、午前０時であれば、図４に符号１４１で示すように、日付表示は日付の数字が次の日付に切り替わりつつある中途半端な状態になる。一方、午後０時の場合には、図４に符号１４２で示すように、いずれか１つの数字が表示窓４５に表示され、中途半端な表示にはならない。このため、Ｓ１８では、午前０時と午後０時のどちらであるかを日付補正部２５が判断するために、日付補正部２５は、時計３の表示窓４５に、１つの日付と、隣り合う２つの日付の間の部分とのいずれが表示されているかを使用者に選択させる。
【００６０】
日付補正部２５は、符号１４１で示す中途半端な表示状態が選択された場合（Ｓ１８でＹｅｓ）には、日付の数字が読みやすくなるように、例えば時針４３を３時間進める指示を時計３に送信する（Ｓ１９）。すなわち、日付補正部２５は、２つの日付の間の部分が表示されていると選択された場合には、表示窓４５に１つの日付だけが表示されるように、３時位置まで時針４３を進ませる（図５（Ｋ））。一方、符号１４２で示す中途半端でない表示状態が選択された場合（Ｓ１８でＮｏ）には、Ｓ１９は実行されずに、Ｓ２０に進む。続いて、日付補正部２５は、画面１０３と同様の画面１１１を表示させて、現在表示されている日付を使用者に入力させ、その入力値（日付情報）を基に、日板４４が実際に示す日付と計時部３３の時刻情報が示す日付とのずれ量を算出する（Ｓ２０）。
【００６１】
その後、制御部１２は、時計３に現在の各指針の位置（針位置）を通知し（Ｓ２１）、時計３に通常運針動作への復帰を指示する（Ｓ２２）。Ｓ２０で入力された日付と計時部３３の時刻情報が示す日付とがずれている場合には、時計３の指針制御部３２は、この通常運針動作への復帰の際に、そのずれが打ち消されるように日板４４を回転させる。最後に、制御部１２は、調整処理が終了したことを示す図４の画面１１２を表示させて、一連の処理を終了する。
【００６２】
以上のように、調整システム１では、携帯端末２と連携して時計３の各指針および日板の位置を調整することで、使用者の調整負荷が低減し、ユーザビリティが向上する。特に、図４に示す画面１０９を携帯端末２に表示させて、使用者に指針の位置を微調整する手段（ボタン１３１〜１３４）を提供することで、使用者にとっては、指針の位置調整の操作が容易になる。また、調整システム１では、時計３内の歯車のバックラッシュを考慮した位置調整を行うので、基準位置の調整精度が向上する。その際、例えば１ステップ分の逆転が必要な場合に２ステップ戻して１ステップ進めるという運針をすると効率が悪いが、調整システム１は、歯車５１を一旦逆方向に大きく回転させた後で、正方向に少しずつ回転させながら基準位置の調整を行うので、バックラッシュを考慮した効率的な運針をすることが可能である。
【００６３】
日板４４の回転位置にずれがあると、日付表示が切り替わる時刻が午前０時からずれるので、画面１１０（図６のＳ１８）で使用者に日付表示を正しく選択させることができない場合がある。このため、午前０時丁度で日付表示が切り替わるように、日付補正部２５は、時針４３の基準位置を調整した後であって日板４４の基準位置を調整に入る直前（図６のＳ１６，１７とＳ１８の間）に、日板４４のバックラッシュ分のずれを除去する処理を行ってもよい。
【００６４】
図２（Ｃ）では、時針４３を回転させる歯車と日板４４を回転させる歯車とが直接噛み合っているように記載しているが、これは簡略化した図であり、実際には、時針４３と日板４４の間には歯車が何段も連結されている。日板４４の回転用の歯車は、時針４３の回転用の歯車と比べて減速比が大きく、バックラッシュが大きいので、時針４３の場合のように微少ステップだけ逆方向に回転させてから正方向に回転させるのでは、バックラッシュ分のずれを除去できない可能性がある。このため、日付補正部２５は、例えば、時針４３を２時間分だけ逆方向（反時計回り）に回転させてから同じ２時間分だけ正方向（時計回り）に回転させるなど、時針４３の基準位置を調整するときよりも大きい駆動単位で歯車５１を逆方向、正方向の順に回転させる指示を時計３に出力するとよい。
【００６５】
なお、時針４３の基準位置は、日板４４の日付表示が切り替わった後の位置（例えば、３時位置）でもよい。この場合、図６のＳ１９で、日板４４の位置調整のために時針４３を３時間進める処理が不要になるので、日板４４の位置調整の操作が簡略化される。
【００６６】
図７（Ａ）〜図７（Ｄ）は、時計における指針の配置パターンの変形例を示す図である。図７（Ａ）は、上記した時計３の指針とムーブメント３６の配置を示す側面図である。時計３では、図７（Ａ）に示すように、下から（ムーブメント３６の側から）時針４３、分針４２、秒針４１の順に各指針が配置されている。ただし、指針の配置順序はこれとは逆でもよく、図７（Ｂ）に示すように、下から秒針４１、分針４２、時針４３の順に各指針が配置されていてもよい。あるいは、図７（Ｃ）に示すように、秒針４１がなく、時針４３の上に分針４２が配置されるか、または、図７（Ｄ）に示すように、秒針４１がなく、分針４２の上に時針４３が配置されていてもよい。
【００６７】
図７（Ａ）および図７（Ｃ）の場合には、重なり制御部２４は、時針４３の調整時に、分針４２が邪魔にならないように、分針４２を基準位置以外の位置に移動させてもよい。図７（Ｂ）および図７（Ｄ）の場合には、分針４２よりも時針４３が上に配置されているので、時針４３の調整時でも、分針４２を基準位置に配置したまま、分針４２の上に時針４３の位置を合わせてもよい。
【符号の説明】
【００６８】
１    調整システム
２    携帯端末
３    時計
１１    端末通信部
１２    制御部
１３    記憶部
１４    表示部
１５    入力部
２１    移動指示部
２２    指針補正部
２３    微調整指示部
２４    重なり制御部
２５    日付補正部
３１    時計通信部
３２    指針制御部
３３    計時部
３４    時刻表示部
３５    駆動部
４１    秒針
４２    分針
４３    時針
４４    日板
５１    歯車
【図１】
2019078533.tif 000003
【図２】
2019078533.tif 000004
【図３】
2019078533.tif 000005
【図４】
2019078533.tif 000006
【図５】
2019078533.tif 000007
【図６】
2019078533.tif 000008
【図７】
2019078533.tif 000009